(57)【特許請求の範囲】
【請求項１】
筺体と、該筺体の内部に収納される開閉器ユニットとを備えるスイッチギヤであって、
更に前記開閉器ユニットを吊上げ可能にする吊上げ用部材と、スイッチギヤ本体と前記開閉器ユニットで共用化されたフレーム部とを備え、
前記開閉器ユニットは、電流の開閉を行う開閉器と該開閉器を操作する操作器とを有し、かつ母線及びケーブルに接続されると共に、前記筺体に対して取り外し可能であり、
前記筺体の上部には前記開閉器ユニットを前記筺体の上部から前記筺体外に取り出し可能な開口部を有し、
前記吊上げ用部材が、前記開閉器ユニットの前記フレーム部に接続されることを特徴とするスイッチギヤ。
【請求項２】
請求項１に記載のスイッチギヤであって、
前記開閉器ユニットが前記吊上げ用部材を装着可能な部材を備えていることを特徴とするスイッチギヤ。
【請求項３】
請求項１または２のいずれか一つに記載のスイッチギヤであって、
前記開口部には取り外し可能な屋根が被せられていることを特徴とするスイッチギヤ。
【請求項４】
請求項３に記載のスイッチギヤであって、
前記屋根には第１の通風溝が形成されており、
前記屋根の内側であって、前記第１の通風溝と前記開口部との間は仕切り部材が覆っていることを特徴とするスイッチギヤ。
【請求項５】
請求項４に記載のスイッチギヤであって、
前記第１の通風溝は前記屋根に対して外側方向かつ下方向に覆う水避け部で覆われていることを特徴とするスイッチギヤ。
【請求項６】
請求項１ないし５のいずれか一つに記載のスイッチギヤであって、
前記スイッチギヤは、上下方向に形成されて前記開閉器ユニットを前記開口部に案内するガイド部材を有することを特徴とするスイッチギヤ。
【請求項７】
請求項６に記載のスイッチギヤであって、
前記ガイド部材は上下方向の所定位置にストッパを備えており、該ストッパにより開閉器ユニットが上下方向の所定位置で保持されることを特徴とするスイッチギヤ。
【請求項８】
請求項１ないし７のいずれか一つに記載のスイッチギヤであって、
前記フレーム部は着脱可能であることを特徴とするスイッチギヤ。
【請求項９】
請求項１ないし８のいずれか一つに記載のスイッチギヤであって、
更に前記筺体には筺体本体に対して開閉する扉が設けられており、
該扉と前記筺体本体の間はパッキン部材により密閉されることを特徴とするスイッチギヤ。
【請求項１０】
請求項１ないし９のいずれか一つに記載のスイッチギヤであって、
前記筺体には該筺体外部の空気を該筺体内に取り入れ可能な第２の通風溝が形成されており、
該通風溝は、前記筺体に対して外側方向かつ下方向に覆う水避け部で覆われていることを特徴とするスイッチギヤ。
【請求項１１】
請求項１ないし１０のいずれか一つに記載のスイッチギヤであって、
前記開口部を覆う淵の端部は、前記筺体上部の面より上側に位置することを特徴とするスイッチギヤ。
【請求項１２】
請求項１１に記載のスイッチギヤであって、
更に前記開口部を覆う淵に被せられて、前記開口部よりも小さい開口部を有する着脱可能な天板を設けることを特徴とするスイッチギヤ。
【発明の詳細な説明】
【技術分野】
【０００１】
本発明は、スイッチギヤに関するものであり、特に開閉器を備える開閉器ユニット部の交換作業の向上を目的としたものである。
【背景技術】
【０００２】
受配電系統には、負荷電流または事故電流を遮断するための遮断器等を筺体内部に収納する閉鎖形配電盤（スイッチギヤと称す）が設置される。そして、スイッチギヤの中で主要部となる開閉器等を単体で製作し、筺体から取り外し可能に製作することを可能にする技術があり、これは特許文献１に記載されている。
【０００３】
特許文献１では開閉器とその操作器を合わせてユニット化し、これを一括して撤去、交換できる様にしており、開閉器ユニット自体を予備品と交換できる様にしている。
【先行技術文献】
【特許文献】
【０００４】
【特許文献１】特開２００８−２４５４０９号公報
【発明の概要】
【発明が解決しようとする課題】
【０００５】
しかし、特許文献１に記載されたスイッチギヤでは、開閉器ユニット部は（交換作業時間を短縮するべく、固体絶縁母線の位置を変化させない様に上下方向に昇降できる構造については記載されているが）スイッチギヤの上部側から開閉器ユニットを取り出すことはできない。
【０００６】
例えば屋内では床が平坦であり、図１１に示す様に作業者がリフタを使用して開閉器ユニットを取り出すことが可能であるが、段差が多い場所、即ち屋外等ではリフタを使用しての作業は不安定であり、困難となる。この様な場合、図１０に示す様に大型クレーンを用いて開閉器ユニットを取り出すことが望まれるが、この場合特許文献１に記載されたスイッチギヤでは、クレーンで開閉器ユニットを吊り上げることができず、交換作業を行うことができない。
【０００７】
そこで、本発明では段差が多い場所でも開閉器ユニットを交換可能にできるスイッチギヤを提供することを目的とする。
【課題を解決するための手段】
【０００８】
上記の課題を解決するために、本発明に係るスイッチギヤは  筺体と、該筺体の内部に収納される開閉器ユニットとを備えるスイッチギヤであって、更に前記開閉器ユニットを吊上げ可能にする吊上げ用部材と、スイッチギヤ本体と前記開閉器ユニットで共用化されたフレーム部とを備え、前記開閉器ユニットは、電流の開閉を行う開閉器と該開閉器を操作する操作器とを有し、かつ母線及びケーブルに接続されると共に、前記筺体に対して取り外し可能であり、前記筺体の上部には前記開閉器ユニットを前記筺体の上部から前記筺体外に取り出し可能な開口部を有し、前記吊上げ用部材が、前記開閉器ユニットの前記フレーム部に接続されることを特徴とする。
【発明の効果】
【０００９】
本発明によれば、段差が多い場所でもスイッチギヤ内の開閉器ユニットを交換することができる。
【図面の簡単な説明】
【００１０】
【図１】実施例１に係るスイッチギヤの斜視図である。
【図２】筺体に設けられる扉の拡大図である。
【図３】筺体に設けられる扉の背面図である。
【図４】実施例１に係るスイッチギヤの側断面を模式的に示した図である。
【図５】実施例１に係るスイッチギヤのフレーム天板が装着される様子を示す図である。
【図６】開閉器ユニットを示す図である。
【図７】実施例１に係るスイッチギヤの屋根を外した状態における上面図である。
【図８】実施例１に係るスイッチギヤのガイドの様子を説明する簡略図である。
【図９】実施例１に係るスイッチギヤの屋根を外した状態における斜視図である。
【図１０】クレーンを用いてスイッチギヤから開閉器ユニットを吊り上げる様子を示す図である。
【図１１】リフタを用いてスイッチギヤから開閉器ユニットを吊り上げる様子を示す図である。
【発明を実施するための形態】
【００１１】
以下、本発明を実施する上で好適となる実施例について図面を用いて説明する。尚、下記実施例はあくまでも実施をする上での一例に過ぎず、発明の内容が実施例に限定されるものではない。本発明は、特許請求の範囲によって定められ、係る範囲に属するものであれば種々の変形が可能となる。
【実施例１】
【００１２】
実施例１に係るスイッチギヤについて図１ないし図１０を用いて説明する。図１に示す様に、本実施例に係るスイッチギヤは、スイッチギヤ全体を覆う接地された金属製の筺体１と、該筺体１内に収納され、開・閉・断路・接地の各々の位置に切り替え可能な開閉器（複数の開閉器でこれらの位置を切り替えることも一つの開閉器内で切り替えることも可能である。）と、該開閉器を操作する操作器とを備える開閉器ユニット２と、金属製の筺体１を覆う取り外し可能な屋根３とから概略構成されている。尚、図１及び図９では隣接するスイッチギヤとの列盤用に母線が接続できる様、筺体１の側面のうち一端側が開放され、他端側は密閉されている。母線が両側面側に突出する場合には、筺体１の側面の両端側が開放された形状になる。
【００１３】
筺体１には筺体１に対して開閉可能な扉４が設けられており、扉４を開放することで筺体１内部を作業者が触れる様になる。扉４の下側には筺体１の内外での空気のやり取りを可能にするため、筺体１内部と連通する通風溝５が形成されており、該通風溝５を通じて筺体１内部に筺体１外部からの空気を取り入れることが可能となる。
【００１４】
図２に示す様に、通風溝５は扉４本体に対してボルト６締めにより固定されており、ボルト６締めの周囲は、コーキング７して封止してあり、通風溝５と扉４本体の固定部から水分が筺体１内部に侵入することを防止している。また、通風溝５は、筺体１に対して外側方向で、かつ下方向に伸びる水避け部８が形成されており、該水避け部８により、雨等が筺体１内に侵入しない様にしている。
【００１５】
図３に示す様に、扉４は筺体１側にパッキン部材９を備えており、扉４を閉じた際には、このパッキン部材９により、密閉され、扉４と筺体１との隙間から筺体１内部に水分が侵入することを防ぐことができる様にしている。
【００１６】
図４に示す様に、屋根３には通風溝１０が形成されており、筺体１の内外での空気のやり取りを可能にする。スイッチギヤの使用中には、筺体１内部は発熱により高温となるので、空気の流れとしては通風溝５から空気が筺体１内部に流入してスイッチギヤ内で熱交換して高温となり、比重が小さくなった空気が上昇し、屋根３に設けた通風溝１０から放出される流れが生じる。そして、通風溝１０にも、通風溝５と同じ様に、屋根３に対して外側方向で、かつ下方向に伸びる水避け部１１が形成されており、該水避け部１１により、雨等が屋根３内に侵入しない様にしている。屋根３内側で筺体１の上面には開閉器ユニット２よりも大きく、開閉器ユニット２を取り出し可能な開口部１３が設けられている。該開口部１３を形成する筺体１の上面における淵部分１４は、筺体上部面１５よりも上側に位置している。そして、上記通風溝１０と開口部１３との間には仕切り板１２が配置されており、仮に通風溝１０から雨等が侵入した場合であっても、開口部１３には到達せずに、筺体上部面１５に液滴が落下する様にしている。筺体上部面１５に対して開口部１３の淵部分１４は上側に位置しているため、筺体上部面１５に落下した液滴は、開口部１３に落ちることがない。この点からも防水をすることができる。
【００１７】
図５に示す様に、天板の一部が、淵部分１４には淵部分１４に引っ掛けられて開口部１３に収まり、更に開口部１３よりも小さい開口面積を有する着脱可能なフレーム天板１６となっている。開閉器ユニット撤去・交換時に天板の一部を外すことで、昇降機の進入を妨げる部位がなくなるため、開閉器部の盤外への撤去及び、交換作業において、昇降機を容易に盤内外へ移動させることができる。
【００１８】
図６には開閉器ユニット２を示している。開閉器ユニット２内には一例として、例えば特開２００７−１４０８６号公報に記載されている様に、真空絶縁中で２対の接点を同時に閉・開・断路できる開閉器と、真空絶縁中で閉・接地を切り替えできる接地開閉器とを各相毎に備え、これらを操作する操作器を備える場合や、特開２０１１−４１４０７号公報に記載されている様に、真空絶縁中で閉・開を切り替える開閉器と、気中・固体絶縁中で閉・断路・接地を切り替える開閉器とを各相毎に備え、これらを操作する操作器を備える場合等が挙げられる。これ以外にも、一般に電流の開閉を行う開閉器及びこれを操作する操作器をユニット化したものであれば、本発明を実現する上で支障はない。
【００１９】
開閉器ユニット２には、クレーン等で吊り上げる際に引っ掛ける吊上げ用部材１７を装着する金具１８が設けてある。吊上げ用部材１７は、開閉器ユニット２に常時装着しているが、取り外し可能にしても良い。また、本実施例では開閉器ユニットのフレームの一部とスイッチギヤを構成するフレームの一部を共用化している。これにより、部品数の低減が図れるのは勿論であるが、更に、本来であればスイッチギヤ盤内で開閉器ユニット部を取り外すためのスペースの確保が必要となり、開閉器ユニットを取り出すことにより、スイッチギヤ全体の寸法も大きくなってしまうところが、スイッチギヤを構成するフレームの一部が開閉器ユニット２と共用化されたことで、スイッチギヤ盤内で開閉器ユニット部を取り外すためのスペースの確保が必要なくなり、スイッチギヤ全体の寸法を小形にすることが可能となる。更に、該共用化したフレームをスイッチギヤ本体に対して着脱可能にしている。ここで、スイッチギヤ本体とは、筺体１に関わらず、開閉器ユニットを取り外した際にそのままスイッチギヤに残る部分を指す。これにより、開閉器ユニットを撤去・交換する際、当該着脱可能なフレームを外すことによって、開閉器ユニットを昇降するために必要なスペースを確保することができる。スイッチギヤと開閉器ユニット２でフレームの一部を共用化した場合、開閉器ユニット２はスイッチギヤに対してその位置を変えることができなくなってしまうが、この様に共用化したフレーム部分を着脱可能にすることで、開閉器ユニットのスイッチギヤ盤を構成するフレームの一部を共用化した状態においても、開閉器ユニットの昇降動作が可能となる。
【００２０】
図７，図８に示す様に、スイッチギヤ内部には開口部１３の淵部分１４の四隅内側から下方に伸びるガイド１９を設けており、開閉器ユニット２が開口部１３に辿りつく様に、また開閉器ユニット２を開口部１３から下降させて行く際には所定位置に辿りつく様に案内できる様にしている。この際、ガイド１９は開閉器ユニット２が昇降時に傷つかない様、弾性体であることが好ましく、また例えばテフロン等摩擦係数の小さい材料で形成されることが好ましい。図８に示す様に、淵部分１４から上下方向に延伸するガイド１９の所定高さには、開閉器ユニット２を支持できるストッパ２０が設けられており、開閉器ユニット２の位置決めを行える様にしている。
【００２１】
上記の様に構成されたスイッチギヤについて、開閉器ユニット２を交換する作業について以下説明する。
【００２２】
図１の様に交換前の通常の状態ではスイッチギヤは屋根３が被せられている。そこで、まず屋根３を外す必要がある。屋根３はボルト締め等で固定しておけば良く、外す際には固定しているボルトを取る等により外す。
【００２３】
屋根３を外した後、開口部１３には開口部１３よりも小さな開口径を有するフレーム天板１６を外す。フレーム天板１６は淵部分１４に被せるだけであっても、ボルト等で固定していても良い。外す時はこの逆の作業を行う。
【００２４】
次に吊上げ用部材１７が元々装着されていない場合には、金具１８に装着し、クレーン等を吊上げられるようにする。無論、元々装着されている場合には、この作業は不要である。
【００２５】
その後、吊上げ用部材１７にクレーン等を引っ掛けて図９に示す様に持ち上げる。この際、ガイド１９があることにより、開閉器ユニット２が確実に開口部１３に案内され、スムーズに引き上げることができる様になる。また、ガイド１９を摺動可能にしたため、引き上げる際にガイド１９との衝突が少なくなり、開閉器ユニット２が傷付きにくくなる。さらに、ガイド１９を可撓性がある弾性体にしたことで、ガイド１９に衝突した場合でも、開閉器ユニット２は傷を受けにくくなる。尚、吊上げを開始する前に、開閉器ユニット２に接続されている母線やケーブル等は外しておく必要があり、また、開閉器ユニット２が筺体１に対して固定されているボルトを外しておく必要もある。
【００２６】
クレーン等で持ち上げた後は、他の場所に開閉器ユニット２を移動させることで開閉器ユニット２の引き外し作業は終了する。
【００２７】
続いて開閉器ユニット２を取り付ける作業について説明する。基本的には、上記取り外し作業の逆の手順を踏めば良い。初めに、吊上げ用部材１７にクレーン等を引っ掛けて筺体１の上部に取り付けようとする開閉器ユニット２を位置させる。次に、開閉器ユニット２を下降させて開口部１３からガイド１９に沿ってストッパ２０が設けられている高さまで徐々に下降させる。そして、ストッパ２０によって支持された状態でボルト締めによって筺体１に開閉器ユニット２を固定する。
【００２８】
開閉器ユニット２が固定された後は、クレーン等を取り外す。
【００２９】
次に、吊上げ用部材１７を取り外す際には、金具１８から外す。そして、フレーム天板１６を淵部分１４に被せて（必要に応じて淵部分１４に固定し、）更に屋根３を被せて筺体１に対して固定する。その後、母線やケーブルを新たに取り付けた開閉器ユニット２に取り付ける。尚、母線やケーブルを取り付ける作業はクレーン等を外した後であれば、屋根３を外す前に行っても良い。
【００３０】
本実施例の様に構成したスイッチギヤによれば、筺体１の上部に開閉器ユニット２を筺体１の外部に取り出し可能な開口部１３を備えたので、段差が多い場所でもスイッチギヤ内の開閉器ユニットを交換することができる。
【符号の説明】
【００３１】
１  筺体
２  開閉器ユニット
３  屋根
４  扉
５，１０  通風溝
６  ボルト
７  コーキング
８，１１  水避け部
９  パッキン部材
１２  仕切り板
１３  開口部
１４  淵部分
１５  筺体上部面
１６  フレーム天板
１７  吊上げ用部材
１８  金具
１９  ガイド
２０  ストッパ
【図１】
0005707217.tif 000002
【図２】
0005707217.tif 000003
【図３】
0005707217.tif 000004
【図４】
0005707217.tif 000005
【図５】
0005707217.tif 000006
【図６】
0005707217.tif 000007
【図７】
0005707217.tif 000008
【図８】
0005707217.tif 000009
【図９】
0005707217.tif 000010
【図１０】
0005707217.tif 000011
【図１１】
0005707217.tif 000012